(57)【要約】【課題】信号レベル制御の振幅変動に対する追従性能を向上させることができるようにする。【解決手段】本技術の通信装置は、受信された信号である受信信号の信号レベルを測定する測定部と、前記測定部により測定された前記受信信号の信号レベルに応じて、前記受信信号の信号レベルを制御する制御ループの時定数を制御する制御部とを備える。本開示は例えば、信号を受信する通信装置に適用することができる。【選択図】図２
2013236325.tif 000002
【特許請求の範囲】
【請求項１】
受信信号の信号レベルを測定する測定部と、
前記測定部により測定された前記受信信号の信号レベルに応じて、前記受信信号の信号レベルを制御する制御ループの時定数を制御する制御部と
を備える通信装置。
【請求項２】
前記受信信号は、振幅変調されている信号を含む
請求項１に記載の通信装置。
【請求項３】
前記測定部は、前記受信信号の信号レベルを所定の基準レベルと比較することにより、前記受信信号の信号レベルを測定する
請求項２に記載の通信装置。
【請求項４】
前記制御部は、前記測定部による、前記受信信号の信号レベルと前記基準レベルとの比較結果に基づいて、前記制御ループを構成する増幅部の増幅率を制御することにより、前記時定数を制御する
請求項３に記載の通信装置。
【請求項５】
前記制御部は、前記受信信号の信号レベルが前記基準レベルより小さくなった場合、前記増幅率を大きくする
請求項４に記載の通信装置。
【請求項６】
前記制御部は、前記受信信号の信号レベルが前記基準レベルより大きくなった場合、前記増幅率を大きくする
請求項４に記載の通信装置。
【請求項７】
前記測定部は、前記受信信号の信号レベルを互いに異なる複数の基準レベルと比較し、
前記制御部は、前記測定部による、前記受信信号の信号レベルと各基準レベルとの比較結果に基づいて、前記増幅部の増幅率を制御する
請求項２に記載の通信装置。
【請求項８】
前記測定部は、前記受信信号の信号レベルを、第１の基準レベル、並びに、前記第１の基準レベルより大きな第２の基準レベルと比較し、
前記制御部は、前記受信信号の信号レベルが前記第１の基準レベルより小さくなった場合、若しくは、前記受信信号の信号レベルが前記第２の基準レベルより大きくなった場合、前記増幅率を大きくする
請求項７に記載の通信装置。
【請求項９】
前記制御部は、前記受信信号の信号レベルが前記第２の基準レベルより大きくなった場合、前記受信信号の信号レベルが前記第１の基準レベルより小さくなった場合よりも、前記増幅率を大きくする
請求項８に記載の通信装置。
【請求項１０】
前記測定部による比較結果に基づいて、前記基準レベルを制御する基準レベル制御部をさらに備え、
前記測定部は、前記受信信号の信号レベルを、前記基準レベル制御部により制御された前記基準レベルと比較する
請求項３に記載の通信装置。
【請求項１１】
前記基準レベル制御部は、前記受信信号の信号レベルが前記基準レベルより小さくなった場合、前記基準レベルを大きくする
請求項１０に記載の通信装置。
【請求項１２】
前記基準レベル制御部は、前記受信信号の信号レベルが前記基準レベルより大きくなった場合、前記基準レベルを小さくする
請求項１０に記載の通信装置。
【請求項１３】
前記測定部は、前記受信信号の信号レベルを、第１の基準レベル、並びに、前記第１の基準レベルより大きな第２の基準レベルと比較し、
前記基準レベル制御部は、
前記受信信号の信号レベルが前記第１の基準レベルより小さくなった場合、前記第１の基準レベルを大きくし、
前記受信信号の信号レベルが前記第２の基準レベルより大きくなった場合、前記第２の基準レベルを小さくする
請求項１０に記載の通信装置。
【請求項１４】
前記基準レベル制御部は、互いに異なる複数の基準レベルの候補の中から、いずれか１つを選択する
請求項１０に記載の通信装置。
【請求項１５】
通信装置の通信方法において、
前記通信装置が、
受信信号の信号レベルを測定し、
測定された前記受信信号の信号レベルに応じて、前記受信信号の信号レベルを制御する制御ループの時定数を制御する
通信方法。
【発明の詳細な説明】
【技術分野】
【０００１】
本技術は、通信装置および方法に関し、特に、信号レベル制御の振幅変動に対する追従性能を向上させることができるようにした通信装置および方法に関する。
【背景技術】
【０００２】
従来、信号の変調方式の１つとして、例えばSECAM-Lのように映像信号等の情報を振幅に載せるAM（Amplitude Modulation）変調（振幅変調）がある。
【０００３】
このようなAM変調された信号（AM変調信号）は、振幅が変動するので、他の変調方式の信号と比べてAGC（Automatic Gain Control）制御が過敏になりやすい。そのため、通常の場合、復調処理部におけるAGC制御の追従速度（Tracking Speed）は、AM変調信号の変動に比べて非常に遅く設定される。
【０００４】
また、受信装置では、RFブロックにも歪み耐性が弱いブロックが存在する場合がある。そのため、そのようなブロックの入力にも、信号レベルを制限するためのAGCループが設けられる（例えば、特許文献１参照）。このようなRFブロックのAGCループの時定数は、安定性を考慮して、上述した復調処理部からのAGCループの追従速度に比べて十分遅く設定する必要がある。
【先行技術文献】
【非特許文献】
【０００５】
【非特許文献１】Sinderen1, Francois Seneschal2, Eduard Stikvoort1,Faycal Mounaim2, Marc Notten1, Hans Brekelmans1, Olivier Crand2,Fateh Singh2, Maxime Bernard2, Vincent Fillatre2, Anton Tombeur1,"A 48-860MHz Digital Cable Tuner IC with Integrated RF and IF Selectivity",ISSCC 2003 / SESSION 25 / RF INFOTAINMENT / PAPER 25.3,ISSCC 2003 / February 12, 2003
【発明の概要】
【発明が解決しようとする課題】
【０００６】
しかしながら、この場合、RFブロックにおけるAGCの時定数は非常に遅く設定することになるので、受信信号が大きく時間変動した場合、その変動に即応的に追従することができず、許容できないほどの長時間、受信信号を劣化させてしまう恐れがあった。例えば、SECAM-Lのように、この受信信号が画像信号である場合、この受信信号の劣化によって、表示画像の画質が大幅に低減する恐れがあった。
【０００７】
本技術は、このような状況に鑑みて提案されたものであり、信号レベル制御の振幅変動に対する追従性能を向上させることを目的とする。
【課題を解決するための手段】
【０００８】
本技術の一側面は、受信信号の信号レベルを測定する測定部と、前記測定部により測定された前記受信信号の信号レベルに応じて、前記受信信号の信号レベルを制御する制御ループの時定数を制御する制御部とを備える信号処理装置である。
【０００９】
前記受信信号は、振幅変調されている信号を含むようにすることができる。
【００１０】
前記測定部は、前記受信信号の信号レベルを所定の基準レベルと比較することにより、前記受信信号の信号レベルを測定することができる。
【００１１】
前記制御部は、前記測定部による、前記受信信号の信号レベルと前記基準レベルとの比較結果に基づいて、前記制御ループを構成する増幅部の増幅率を制御することにより、前記時定数を制御することができる。
【００１２】
前記制御部は、前記受信信号の信号レベルが前記基準レベルより小さくなった場合、前記増幅率を大きくすることができる。
【００１３】
前記制御部は、前記受信信号の信号レベルが前記基準レベルより大きくなった場合、前記増幅率を大きくすることができる。
【００１４】
前記測定部は、前記受信信号の信号レベルを互いに異なる複数の基準レベルと比較し、前記制御部は、前記測定部による、前記受信信号の信号レベルと各基準レベルとの比較結果に基づいて、前記増幅部の増幅率を制御することができる。
【００１５】
前記測定部は、前記受信信号の信号レベルを、第１の基準レベル、並びに、前記第１の基準レベルより大きな第２の基準レベルと比較し、前記制御部は、前記受信信号の信号レベルが前記第１の基準レベルより小さくなった場合、若しくは、前記受信信号の信号レベルが前記第２の基準レベルより大きくなった場合、前記増幅率を大きくすることができる。
【００１６】
前記制御部は、前記受信信号の信号レベルが前記第２の基準レベルより大きくなった場合、前記受信信号の信号レベルが前記第１の基準レベルより小さくなった場合よりも、前記増幅率を大きくすることができる。
【００１７】
前記測定部による比較結果に基づいて、前記基準レベルを制御する基準レベル制御部をさらに備え、前記測定部は、前記受信信号の信号レベルを、前記基準レベル制御部により制御された前記基準レベルと比較することができる。
【００１８】
前記基準レベル制御部は、前記受信信号の信号レベルが前記基準レベルより小さくなった場合、前記基準レベルを大きくすることができる。
【００１９】
前記基準レベル制御部は、前記受信信号の信号レベルが前記基準レベルより大きくなった場合、前記基準レベルを小さくすることができる。
【００２０】
前記測定部は、前記受信信号の信号レベルを、第１の基準レベル、並びに、前記第１の基準レベルより大きな第２の基準レベルと比較し、前記基準レベル制御部は、前記受信信号の信号レベルが前記第１の基準レベルより小さくなった場合、前記第１の基準レベルを大きくし、前記受信信号の信号レベルが前記第２の基準レベルより大きくなった場合、前記第２の基準レベルを小さくすることができる。
【００２１】
前記基準レベル制御部は、互いに異なる複数の基準レベルの候補の中から、いずれか１つを選択することができる。
【００２２】
本技術の一側面は、また、通信装置の通信方法において、前記通信装置が、受信信号の信号レベルを測定し、測定された前記受信信号の信号レベルに応じて、前記受信信号の信号レベルを制御する制御ループの時定数を制御する通信方法である。
【００２３】
本技術の一側面においては、受信信号の信号レベルが測定され、測定された受信信号の信号レベルに応じて、受信信号の信号レベルを制御する制御ループの時定数が制御される。
【発明の効果】
【００２４】
本技術によれば、信号レベルを制御することができる。特に、信号レベル制御の振幅変動に対する追従性能を向上させることができる。
【図面の簡単な説明】
【００２５】
【図１】受信装置の主な構成例を示すブロック図である。
【図２】受信装置の主な構成例を示すブロック図である。
【図３】オーバロードディテクタの主な構成例を示すブロック図である。
【図４】受信信号レベルの例を示す図である。
【図５】時定数制御の例を示す図である。
【図６】受信処理の流れの例を説明するフローチャートである。
【図７】増幅率制御処理の流れの例を説明するフローチャートである。
【図８】時定数制御処理の流れの例を説明するフローチャートである。
【図９】RF信号レベル測定処理の流れの例を説明するフローチャートである。
【図１０】ループゲイン制御処理の流れの例を説明するフローチャートである。
【図１１】受信装置の主な構成例を示すブロック図である。
【図１２】基準レベル制御の様子の例を示す図である。
【図１３】時定数制御処理の流れの例を説明するフローチャートである。
【図１４】基準レベル制御処理の流れの例を説明するフローチャートである。
【図１５】表示装置の主な構成例を示すブロック図である。
【図１６】コンピュータの主な構成例を示すブロック図である。
【発明を実施するための形態】
【００２６】
以下、本開示を実施するための形態（以下実施の形態とする）について説明する。なお、説明は以下の順序で行う。
１．第１の実施の形態（受信装置）
２．第２の実施の形態（受信装置）
３．第３の実施の形態（受信装置）
４．第４の実施の形態（表示装置）
５．第５の実施の形態（コンピュータ）
【００２７】
＜１．第１の実施の形態＞
［受信装置］
AM（Amplitude Modulation）変調（振幅変調）された信号を受信する受信装置の、RF信号を処理するRFブロックにおいて、信号レベルを制限するためのAGC（Automatic Gain Control）が行われる。
【００２８】
図１は、受信装置の主な構成例を示すブロック図である。図１に示される受信装置１０は、例えば、SECAM-Lのように、AM変調された映像信号を受信し、所望のチャネル（周波数帯域）の成分を抽出する受信装置である。
【００２９】
図１に示されるように、受信装置１０は、アンテナ１１、RFフィルタ１２、ゲイン可変アンプ１３、RFフィルタ１４、周波数変換部１５、チャネル選択フィルタ１６、およびゲイン可変アンプ１７を有する。
【００３０】
放送局等から送信される放送波（無線信号）は、アンテナ１１により受信される。その受信信号は、おいて受信された放送波（無線信号）は、RFフィルタ１２に供給される。この放送波（受信信号）は、映像信号がAM変調されたAM変調信号である。少なくとも、放送波は、AM変調信号を含む。
【００３１】
RFフィルタ１２は、供給された受信信号から、所望の周波数帯域の成分を抽出する（若しくは、所望の周波数帯域以外の成分を除去する）。抽出された成分（RF信号）は、ゲイン可変アンプ１３に供給される。
【００３２】
ゲイン可変アンプ１３は、供給されたRF信号を所望の増幅率で増幅する。ゲイン可変アンプ１３の信号増幅率は可変であり、後述する選択部２１から供給される信号により制御される。ゲイン可変アンプ１３は、増幅したRF信号をRFフィルタ１４に供給する。
【００３３】
RFフィルタ１４は、供給されたRF信号から、所望の周波数帯域の成分を抽出する（若しくは、所望の周波数帯域以外の成分を除去する）。抽出された成分（RF信号）は、周波数変換部１５に供給される。
【００３４】
周波数変換部１５は、供給されたRF信号に、図示せぬVCO（Voltage Controlled Oscillator）からの所定の周波数のローカル信号を乗算してRF信号の周波数を変換する。周波数変換部１５は、周波数変換後の信号（IF信号）をチャネル選択フィルタ１６に供給する。
【００３５】
チャネル選択フィルタ１６は、供給されたIF信号から、所望のチャネル（周波数帯域）の成分を抽出する。抽出された成分（IF信号）は、ゲイン可変アンプ１７に供給される。
【００３６】
ゲイン可変アンプ１７は、供給されたIF信号を所望の増幅率で増幅する。ゲイン可変アンプ１７の信号増幅率は可変であり、後段の復調処理部（図示せず）から供給される（FROM DEMOD.）信号により制御される。ゲイン可変アンプ１７は、増幅したIF信号を後段の復調処理部に供給する（TO DEMOD.）。
【００３７】
以上のように、復調処理部によりAGC制御が行われる。受信装置１０が受信する信号は、振幅が変動するAM変調信号であるので、他の変調方式の信号と比べてAGC制御が過敏になりやすい。そのため、復調処理部におけるAGC制御の追従速度（Tracking Speed）は、AM変調信号の変動に比べて非常に遅く設定される。
【００３８】
受信装置１０は、さらに、オーバロードディテクタ１８、ループゲインアンプ１９、積分器２０、および選択部２１を有する。
【００３９】
RF信号を処理する周波数変換部１５は、歪み耐性が比較的弱い。そこで、この周波数変換部１５の入力の信号レベルを制限するためにAGCループ（制御ループ）が設けられる。オーバロードディテクタ１８乃至選択部２１の各処理部は、このAGCループを構成する。
【００４０】
オーバロードディテクタ１８は、周波数変換部１５に入力されるRF信号（RFフィルタ１４から出力されるRF信号）の信号レベル（絶対値）を、所定の基準信号レベル（Ref.LVL）と比較し、RF信号の信号レベルが基準信号レベルを超えた状態を検出する。オーバロードディテクタ１８は、その検出結果をループゲインアンプ１９に供給する。
【００４１】
換言するに、オーバロードディテクタ１８は、RF信号の信号レベルが、基準信号レベルを超えるか否かを判定し、その判定結果をループゲインアンプ１９に供給する。
【００４２】
例えば、オーバロードディテクタ１８は、RF信号の信号レベルが基準信号レベル以下の場合、値０を出力し、基準信号レベルを超えた場合、値１を出力する。
【００４３】
ループゲインアンプ１９は、オーバロードディテクタ１８から供給される検出結果（判定結果）を示す信号を増幅し、積分器２０に供給する。
【００４４】
積分器２０は、ループゲインアンプ１９から供給される信号を積分する。積分器２０は、その積分された信号レベルを選択部２１に供給する。
【００４５】
選択部２１は、その信号レベルと、後段の復調処理部（図示せず）から供給される制御信号レベルとを比較し、値の大きい方を選択し、選択した方の信号レベルをゲイン可変アンプ１３に供給する。
【００４６】
ゲイン可変アンプ１３は、選択部２１から供給される信号レベルに基づいてRF信号の増幅率を制御する。
【００４７】
このようにして、AGCループの制御により、RF信号の信号レベルが、周波数変換部１５が過負荷状態とならないように抑制される。
【００４８】
このようなRFブロックのAGCループの時定数は、安定性を考慮して、復調処理部からのAGC制御の追従速度に比べて十分遅く設定する必要がある。
【００４９】
つまり、この場合、AGCループの時定数は非常に遅く設定されることになる。したがって、受信信号が大きく時間変動した場合、このAGCループによるAGC制御は、その変動に即応的に追従することができず、許容できないほどの長時間、受信信号を劣化させてしまう恐れがある。そのため、この受信信号（画像信号）に対応する、図示せぬ表示部に表示される画像の画質が大幅に低減する恐れがある。
【００５０】
＜２．第２の実施の形態＞
［２−１受信装置］
そこで、AGCループの時定数を、受信信号レベルに応じて制御することにより、信号レベル制御の振幅変動に対する追従性能を向上させるようにする。
【００５１】
図２は、受信装置の主な構成例を示すブロック図である。図２に示される受信装置１００は、本技術を適用した通信装置であり、受信装置１０（図１）と同様の装置である。つまり、受信装置１００は、例えば、SECAM-Lのように、AM変調された映像信号を受信し、所望のチャネル（周波数帯域）の成分を抽出する。
【００５２】
図２に示されるように、受信装置１００は、アンテナ１１１、RFフィルタ１１２、ゲイン可変アンプ１１３、RFフィルタ１１４、周波数変換部１１５、チャネル選択フィルタ１１６、およびゲイン可変アンプ１１７を有する。
【００５３】
アンテナ１１１は、上述したアンテナ１１と同様のアンテナである。RFフィルタ１１２は、上述したRFフィルタ１２と同様のフィルタである。ゲイン可変アンプ１１３は、上述したゲイン可変アンプ１３と同様のアンプである。RFフィルタ１１４は、上述したRFフィルタ１４と同様のフィルタである。周波数変換部１１５は、上述した周波数変換部１５と同様の処理部である。チャネル選択フィルタ１１６は、上述したチャネル選択フィルタ１６と同様のフィルタである。ゲイン可変アンプ１１７は、上述したゲイン可変アンプ１７と同様のアンプである。
【００５４】
受信装置１００は、また、オーバロードディテクタ１１８、ループゲイン可変アンプ１１９、積分器１２０、選択部１２１、および時定数制御部１５０を有する。
【００５５】
オーバロードディテクタ１１８は、上述したオーバロードディテクタ１８と同様の処理部である。積分器１２０は、上述した積分器２０と同様の処理部である。選択部１２１は、上述した選択部２１と同様の処理部である。
【００５６】
ループゲイン可変アンプ１１９は、上述したループゲインアンプ１９と、基本的に同様のアンプである。ただし、ループゲイン可変アンプ１１９の信号増幅率は可変である。この信号増幅率は、時定数制御部１５０により制御される。つまり、ループゲイン可変アンプ１１９は、オーバロードディテクタ１１８から供給される検出結果（判定結果）を示す信号を、時定数制御部１５０により制御される増幅率で増幅し、積分器１２０に供給する。
【００５７】
つまり、オーバロードディテクタ１１８、ループゲイン可変アンプ１１９、積分器１２０、および選択部１２１は、受信装置１０の場合と同様に、周波数変換部１１５の入力の信号レベルを制限するためのAGCループ（制御ループ）を構成する。
【００５８】
時定数制御部１５０は、ループゲイン可変アンプ１１９の信号増幅率を制御することにより、このAGCループの時定数を制御する。時定数制御部１５０は、周波数変換部１１５の入力の信号レベルに基づいて、この時定数の制御を行う（ループゲイン可変アンプ１１９の信号増幅率を制御する）。
【００５９】
図２に示されるように、時定数制御部１５０は、オーバロードディテクタ１５１およびループゲイン制御部１５２を有する。
【００６０】
オーバロードディテクタ１５１は、オーバロードディテクタ１１８とは別に設けられた、AGCループの時定数制御のための処理部である。オーバロードディテクタ１５１は、周波数変換部１１５に入力されるRF信号（RFフィルタ１１４から出力されるRF信号）の信号レベル（絶対値）を、オーバロードディテクタ１１８が比較する基準信号レベル（Ref.LVL0）とは異なる所定の基準信号レベル（Ref.LVL1およびRef.LVL2）と比較し、RF信号の信号レベルがその基準信号レベルを超えた状態を検出する。オーバロードディテクタ１５１は、その検出結果をループゲイン制御部１５２に供給する。
【００６１】
換言するに、オーバロードディテクタ１５１は、RF信号の信号レベルが、オーバロードディテクタ１１８が比較する基準信号レベルとは異なる所定の基準信号レベルを超えるか否かを判定し、その判定結果をループゲイン制御部１５２に供給する。
【００６２】
例えば、オーバロードディテクタ１５１は、RF信号の信号レベルが基準信号レベル以下の場合、値０を出力し、基準信号レベルを超えた場合、値１を出力する。
【００６３】
ループゲイン制御部１５２は、オーバロードディテクタ１５１から供給される検出結果（判定結果）を示す信号に基づいて、ループゲイン可変アンプ１１９の信号増幅率を制御する。より具体的には、ループゲイン制御部１５２は、検出結果（判定結果）に応じた制御信号をループゲイン可変アンプ１１９に供給する。ループゲイン可変アンプ１１９は、その制御信号に応じた増幅率でオーバロードディテクタ１１８の出力を増幅する。
【００６４】
なお、オーバロードディテクタ１５１が比較する基準信号レベルの大きさは任意であり、オーバロードディテクタ１１８が比較する基準信号レベルより大きくてもよいし、小さくてもよい。
【００６５】
また、オーバロードディテクタ１５１は、RF信号の信号レベル（絶対値）を、任意の数の基準信号レベルと比較することができる。例えば、オーバロードディテクタ１５１が、RF信号の信号レベル（絶対値）を、互いに異なる複数の基準信号レベルと比較するようにしてもよい。
【００６６】
この場合も、各基準信号レベルの大きさは任意である。例えば、オーバロードディテクタ１５１が比較する複数の基準信号レベルの全てが、オーバロードディテクタ１１８が比較する基準信号レベルより大きくてもよいし、小さくてもよい。また、オーバロードディテクタ１５１が比較する複数の基準信号レベルの内、一部が、オーバロードディテクタ１１８が比較する基準信号レベルより大きく、それ以外が、オーバロードディテクタ１１８が比較する基準信号レベルより小さくても良い。
【００６７】
例えば、オーバロードディテクタ１５１が、RF信号の信号レベル（絶対値）を、オーバロードディテクタ１１８が比較する基準信号レベル（Ref.LVL0）よりも小さな基準信号レベル（Ref.LVL1）、および、オーバロードディテクタ１１８が比較する基準信号レベル（Ref.LVL0）よりも大きな基準信号レベル（Ref.LVL2）のそれぞれと比較するようにしてもよい。以下においては、この場合について説明する。
【００６８】
この場合、図２に示されるように、オーバロードディテクタ１５１は、オーバロードディテクタ１６１およびオーバロードディテクタ１６２を有する。
【００６９】
オーバロードディテクタ１６１およびオーバロードディテクタ１６２は、それぞれ、オーバロードディテクタ１１８と同様の処理部である。ただし、オーバロードディテクタ１６１は、周波数変換部１１５に入力されるRF信号の信号レベル（絶対値）を、オーバロードディテクタ１１８が比較する基準信号レベル（Ref.LVL0）よりも小さな基準信号レベル（Ref.LVL1）と比較する。また、オーバロードディテクタ１６２は、周波数変換部１１５に入力されるRF信号の信号レベル（絶対値）を、オーバロードディテクタ１１８が比較する基準信号レベル（Ref.LVL0）よりも大きな基準信号レベル（Ref.LVL2）と比較する。
【００７０】
図３は、オーバロードディテクタ１６１の主な構成例を示すブロック図である。
【００７１】
オーバロードディテクタ１６１は、例えば、図３Ａに示されるように、コンパレータ１７１およびピークホールド部１７２を有する。コンパレータ１７１は、アナログのRF信号と、アナログの基準信号（Ref.LVL1）とで大きさを比較し、その比較結果を示す信号をピークホールド部１７２に供給する。例えば、コンパレータ１７１は、RF信号が基準信号以下の場合、値０を出力し、RF信号が基準信号より大きい場合、値１を出力する。
【００７２】
ピークホールド部１７２は、コンパレータ１７１から値１の信号が供給されると、その値を所定期間保持するとともに、ループゲイン制御部１５２に出力し続ける。つまり、ピークホールド部１７２は、RF信号が基準信号レベルより大きくなったことを、ループゲイン制御部１５２に所定期間通知する。これにより、ループゲイン制御部１５２は、RF信号が基準信号レベルより大きくなったことを確実に把握することができる。
【００７３】
なお、オーバロードディテクタ１６１が、デジタル値でRF信号の信号レベルと基準信号レベルとの比較を行うようにしてもよい。その場合、オーバロードディテクタ１６１は、図３Ｂに示されるように、A/D変換部１８１および比較部１８２を有する。
【００７４】
A/D変換部１８１は、アナログのRF信号をA/D変換し、その信号レベルをデジタル値として比較部１８２に供給する。また、この場合、基準信号レベル（Ref.LVL1）は、デジタル値でオーバロードディテクタ１６１の比較部１８２に供給される。
【００７５】
比較部１８２は、A/D変換部１８１から供給されるRF信号レベル（デジタル値）と、基準信号レベル（Ref.LVL1）（デジタル値）とを比較する。例えば、比較部１８２は、RF信号レベル（デジタル値）が基準信号レベル（Ref.LVL1）（デジタル値）以下の場合、値０を出力し、RF信号レベル（デジタル値）が基準信号レベル（Ref.LVL1）（デジタル値）より大きい場合、値１を出力する。
【００７６】
なお、オーバロードディテクタ１６２やオーバロードディテクタ１１８の構成は、オーバロードディテクタ１６１と同様である。つまり、オーバロードディテクタ１６２やオーバロードディテクタ１１８も、図３Ａや図３Ｂに示されるような構成を有する。
【００７７】
ループゲイン制御部１５２は、オーバロードディテクタ１６１から供給される信号と、オーバロードディテクタ１６２から供給される信号とに基づいて、ループゲイン可変アンプ１１９の信号増幅率（AGCループの時定数）を制御する。
【００７８】
つまり、ループゲイン制御部１５２は、RF信号の信号レベルが大きく変化した場合、AGCループの時定数を短くする。より具体的には、ループゲイン制御部１５２は、RF信号の信号レベルが小さくなり過ぎたり、大きくなり過ぎたりした場合、ループゲイン可変アンプ１１９の信号増幅率を大きくする。例えば、基準信号レベル（Ref.LVL1）以下になった場合、若しくは、基準信号レベル（Ref.LVL2）より大きくなった場合、ループゲイン制御部１５２は、ループゲイン可変アンプ１１９の信号増幅率を大きくする。
【００７９】
AGCループの時定数を短くし、AGC制御の応答を速くすると、そのAGC制御によってRF信号が劣化してしまう恐れがある。そのため、信号レベルが正常なレベル（Ref.LVL1とRef.LVL2の間）の場合、AGCループの時定数は、安定性を考慮して、上述した復調処理部からのAGCループの追従速度に比べて十分遅く設定される。
【００８０】
しかしながら、RF信号の信号レベルが大きく変化し、大きくなり過ぎたり小さくなり過ぎたりした場合、そのことによってRF信号が劣化し、画像の画質が劣化してしまう。したがって、この場合、RF信号を安定させても画質は向上しにくい。
【００８１】
そこで、ループゲイン制御部１５２は、信号レベルを正常なレベルに戻すことを優先させ、上述したように、ループゲイン可変アンプ１１９の信号増幅率を大きくする。このようにすることにより、時定数制御部１５０は、RF信号が正常なレベルの場合、信号レベルをより安定化させるとともに、伝送路の状況等によってRF信号の信号レベルが大きく変動した場合、RF信号のAGC制御を、その変動に対してより高速に追従させることができる。これにより、受信装置１００は、信号レベル制御の振幅変動に対する追従性能を向上させることができる。
【００８２】
より具体的な例について説明する。例えば、周波数変換部１１５に入力されるRF信号の信号レベルが、図４Ｂに示される例のように、基準信号レベル（Ref.LVL1）より大きく、かつ、基準信号レベル（Ref.LVL2）以下であるとする。この場合、オーバロードディテクタ１６１（OLD1）は、値１を出力し、オーバロードディテクタ１６２（OLD2）は、値０を出力する。
【００８３】
この場合、ループゲイン制御部１５２は、図５に示されるように、ループゲイン可変アンプ１１９の信号増幅率（Loop Gain）を、AGCループの時定数が、復調処理部からのAGC制御の追従速度に比べて十分遅くなるような所定の値（例えばα）にする。これによりRF信号の信号レベルが安定する。
【００８４】
これに対して、例えば、周波数変換部１１５に入力されるRF信号の信号レベルが小さくなり、図４Ａに示される例のように、基準信号レベル（Ref.LVL1）以下になるとする。この場合、オーバロードディテクタ１６１（OLD1）およびオーバロードディテクタ１６２（OLD2）は、ともに値０を出力する。
【００８５】
この場合、ループゲイン制御部１５２は、図５に示されるように、ループゲイン可変アンプ１１９の信号増幅率（Loop Gain）を大きくする（例えば４αにする）。これによりAGCループの時定数が短くなり、AGC制御の応答が速くなる。
【００８６】
また、例えば、周波数変換部１１５に入力されるRF信号の信号レベルが大きくなり、図４Ｃに示される例のように、基準信号レベル（Ref.LVL2）より大きくなるとする。この場合、オーバロードディテクタ１６１（OLD1）およびオーバロードディテクタ１６２（OLD2）は、ともに値１を出力する。
【００８７】
この場合、ループゲイン制御部１５２は、図５に示されるように、ループゲイン可変アンプ１１９の信号増幅率（Loop Gain）をさらに大きくする（例えば６４αにする）。これによりAGCループの時定数が短くなり、AGC制御の応答がさらに速くなる。
【００８８】
なお、ループゲイン制御部１５２が設定する、RF信号が大幅に変動した場合の、ループゲイン可変アンプ１１９の信号増幅率の値は、RF信号が大幅に変動していない状態の場合よりも大きければよく、図５に示される例（４αおよび６４α）に限定されない。
【００８９】
ただし、図５の例のように、ループゲイン可変アンプ１１９の信号増幅率（Loop Gain）は、RF信号の信号レベルが小さくなり過ぎた場合よりも、大きくなり過ぎた場合の方が、より大きくするようにするのが望ましい。
【００９０】
例えば、RF信号が小さくなり過ぎた場合、RF信号に対してノイズ成分の割合が大きくなることにより画質が低減するものの、RF信号の歪みは小さいので、本来の画像は、ある程度識別可能である。したがって、この場合、AGC制御による画像への影響はある程度考慮すべきであり、AGC制御の応答速度は、画に影響を与えすぎない範囲で速くするのが望ましい。
【００９１】
これに対して、RF信号が大きくなり過ぎた場合、RF信号そのものが歪んでしまう。そのため、本来の画像は破綻してしまう可能性が高い。そのため、AGC制御による画像への影響を考慮しても画質の向上は期待しにくいので、応答速度をできるだけ高速化し、RF信号レベルをより早期に正常な信号レベルに回復させることを優先すべきである。
【００９２】
したがって、ループゲイン制御部１５２が、図５の例のように信号増幅率を制御することにより、より適切に、信号レベル制御の振幅変動に対する追従性能を向上させることができる。
【００９３】
なお、ループゲイン可変アンプ１１９の信号増幅率の値は、図５の例のように、テーブル情報として予め定められているようにしてもよいが、これに限らず、ループゲイン制御部１５２が、RF信号レベルを用いた所定の演算を行って求めるようにしてもよい。
【００９４】
［２−２処理の流れ］
次に、受信装置１００により実行される各処理について説明する。最初に、図６のフローチャートを参照して、受信処理の流れの例を説明する。
【００９５】
受信処理が開始されると、受信装置１００のRFフィルタ１１２は、ステップＳ１０１において、受信信号から所定の周波数帯域の成分を抽出する。
【００９６】
ステップＳ１０２において、ゲイン可変アンプ１１３は、AGCループ等による制御に基づいて、RF信号を増幅する。
【００９７】
ステップＳ１０３において、RFフィルタ１１４は、ステップＳ１０２において増幅されたRF信号から所定の周波数帯域の成分を抽出する。
【００９８】
ステップＳ１０４において、周波数変換部１１５は、RF信号の周波数を変換する。
【００９９】
ステップＳ１０５において、チャネル選択フィルタ１１６は、受信するチャネルを選択し、そのチャネルの周波数帯域の成分を、IF信号から抽出する。
【０１００】
ステップＳ１０６において、ゲイン可変アンプ１１７は、復調処理部からの制御に基づいて、IF信号を増幅する。
【０１０１】
ステップＳ１０７において、RFブロックのAGCループの各処理部は、RF信号の増幅率を制御する。
【０１０２】
ステップＳ１０８において、復調処理部は、IF信号の増幅率を制御する。
【０１０３】
ステップＳ１０８の処理が終了すると、受信処理が終了する。
【０１０４】
次に、図７のフローチャートを参照して、図６のステップＳ１０７において実行される増幅率制御処理の流れの例を説明する。
【０１０５】
増幅率制御処理が開始されると、オーバロードディテクタ１１８は、ステップＳ１２１において、RF信号の過大レベルを検出する。ステップＳ１２２において、ループゲイン可変アンプ１１９、積分器１２０、および選択部１２１は、ステップＳ１２１の処理により得られた検出結果に応じて、ゲイン可変アンプ１１３の増幅率を制御する。
【０１０６】
ステップＳ１２３において、時定数制御部１５０は、時定数制御処理を実行し、AGCループの時定数を制御する。
【０１０７】
ステップＳ１２３の処理が終了すると、増幅率制御処理が終了し、処理は、図６に戻る。
【０１０８】
次に、図８のフローチャートを参照して、図７のステップＳ１２３において実行される時定数制御処理の流れの例を説明する。
【０１０９】
時定数制御処理が開始されると、オーバロードディテクタ１５１は、ステップＳ１４１において、RF信号レベル測定処理を実行し、RF信号レベルを測定する。
【０１１０】
ステップＳ１４２において、ループゲイン制御部１５２は、ループゲイン制御処理を行い、ステップＳ１４１の処理により得られたRF信号レベルの測定結果に応じて、ループゲインを制御する。
【０１１１】
ステップＳ１４２の処理が終了すると、時定数制御処理が終了し、処理は、図７に戻る。
【０１１２】
次に、図９のフローチャートを参照して、RF信号レベル測定処理の流れの例を説明する。RF信号レベル測定処理が開始されると、オーバロードディテクタ１６１は、ステップＳ１６１において、RF信号レベルを第１の基準レベル（Ref.LVL1）と比較する。
【０１１３】
ステップＳ１６２において、オーバロードディテクタ１６２は、RF信号レベルを第２の基準レベル（Ref.LVL2）と比較する。
【０１１４】
これらの比較が終了すると、RF信号レベル測定処理が終了し、処理は、図８に戻る。
【０１１５】
次に、図１０のフローチャートを参照して、図８のステップＳ１４２において実行されるループゲイン制御処理の流れの例を説明する。
【０１１６】
ループゲイン制御処理が開始されると、ループゲイン制御部１５２は、ステップＳ１８１において、RF信号レベルが第１の基準レベルより小さいか否かを判定する。RF信号レベルが第１の基準レベルより小さいと判定された場合、処理は、ステップＳ１８２に進む。
【０１１７】
ステップＳ１８２において、ループゲイン制御部１５２は、AGCループゲインを４αに設定する。ステップＳ１８２の処理が終了すると、ループゲイン制御処理が終了し、処理は図８に戻る。
【０１１８】
また、ステップＳ１８１において、RF信号レベルが第１の基準レベル以上であると判定された場合、処理は、ステップＳ１８３に進む。
【０１１９】
ステップＳ１８３において、ループゲイン制御部１５２は、RF信号レベルが第２の基準レベルより小さいか否かを判定する。RF信号レベルが第２の基準レベルより大きいと判定された場合、処理は、ステップＳ１８４に進む。
【０１２０】
ステップＳ１８４において、ループゲイン制御部１５２は、AGCループゲインを６４αに設定する。ステップＳ１８４の処理が終了すると、ループゲイン制御処理が終了し、処理は図８に戻る。
【０１２１】
また、ステップＳ１８３において、RF信号レベルが第２の基準レベル以下であると判定された場合、処理は、ステップＳ１８５に進む。
【０１２２】
ステップＳ１８５において、ループゲイン制御部１５２は、AGCループゲインをαに設定する。ステップＳ１８５の処理が終了すると、ループゲイン制御処理が終了し、処理は図８に戻る。
【０１２３】
以上のように各種処理を実行することにより、受信装置１００は、信号レベル制御の振幅変動に対する追従性能を向上させることができる。
【０１２４】
なお、オーバロードディテクタ１５１は、RF信号と比較する基準レベルの数だけ、オーバロードディテクタを有する。例えば、基準レベルが１つの場合、オーバロードディテクタ１６１若しくはオーバロードディテクタ１６２のいずれか一方が省略される。また、例えば、基準レベルが３つ以上の場合、オーバロードディテクタ１５１は、オーバロードディテクタ１６１およびオーバロードディテクタ１６２以外のオーバロードディテクタを有する。ただし、RF信号を複数の基準レベルと比較することができるオーバロードディテクタを適用する場合、この限りでは無い。
【０１２５】
＜３．第３の実施の形態＞
［３−１受信装置］
さらに、基準レベルにヒステリシス特性を持たせるようにする。図１１は、受信装置の主な構成例を示すブロック図である。図１１に示される受信装置２００は、上述した受信装置１００と基本的に同様の装置であり、同様の処理部を有し、同様の処理を行う。
【０１２６】
ただし、受信装置２００は、受信装置１００が有する時定数制御部１５０の代わりに時定数制御部２０１を有する。
【０１２７】
時定数制御部２０１は、時定数制御部１５０と基本的に同様の装置であり、同様の処理部を有し、同様の処理を行うが、時定数制御部１５０が有する構成に加え、選択部２１１を有する。また、時定数制御部２０１は、時定数制御部１５０が有するループゲイン制御部１５２の代わりに、ループゲイン制御部２１３を有する。
【０１２８】
ループゲイン制御部２１３は、ループゲイン制御部１５２と基本的に同様の処理部であり、ループゲイン制御部１５２と基本的に同様の処理を行う。ただし、ループゲイン制御部２１３は、オーバロードディテクタ１５１から供給される検出結果（判定結果）に応じた制御信号を、ループゲイン可変アンプ１１９だけでなく、選択部２１１（選択部２２１および選択部２２２）にも供給する。つまり、ループゲイン制御部２１３は、周波数変換部１１５に入力されるRF信号の大きさ（各基準レベルとの比較結果）を示す情報を選択部２１１に供給する。
【０１２９】
選択部２１１は、ループゲイン制御部２１３から供給される制御信号に基づいて、オーバロードディテクタ１５１がRF信号と比較する各基準レベルの内、少なくとも１以上の基準レベルを制御する。つまり、選択部２１１は、周波数変換部１１５に入力されるRF信号の大きさ（基準レベルとの比較結果）に応じて、基準レベルを、ヒステリシス特性を持たせるように制御する。
【０１３０】
例えば、選択部２１１は、基準レベルを、用意された複数の候補の中から選択する。図１１の例の場合、選択部２１１は、２つの選択部２２１および選択部２２２を有し、オーバロードディテクタ１５１が、RF信号を比較する２つの基準レベル（Ref.LVL1およびRef.LVL2）のそれぞれを制御する。
【０１３１】
選択部２２１は、ループゲイン制御部２１３から供給される信号に基づいて、オーバロードディテクタ１６１がRF信号と比較する基準レベルを制御する。例えば、選択部２２１は、用意された複数の信号レベルの中から１つを選択し、それを基準レベルとしてオーバロードディテクタ１６１に供給する。図１１の例の場合、互いに異なる２つの基準レベルの候補（Ref.LVL1およびRef.LVL1'）が選択部２２１に入力され、選択部２２１は、それらの内、いずれか一方を選択する。
【０１３２】
選択部２２２は、選択部２２１と基本的に同様の処理部であり、ループゲイン制御部２１３から供給される信号に基づいて、オーバロードディテクタ１６２がRF信号と比較する基準レベルを制御する。図１１の例の場合、互いに異なる２つの基準レベルの候補（Ref.LVL2およびRef.LVL2'）が選択部２２２に入力され、選択部２２２は、それらの内、いずれか一方を選択する。
【０１３３】
次に、その基準レベルの制御の様子について説明する。例えば、周波数変換部１１５に入力されるRF信号の絶対値が、図１２Ａに示されるように、基準レベルRef.LVL2'より小さいとする。この場合、選択部２２２は、基準レベルRef.LVL2'より大きな基準レベルRef.LVL2を、基準レベルとして選択する。つまり、この場合、オーバロードディテクタ１６２は、RF信号を基準レベルRef.LVL2と比較する。
【０１３４】
この状態から、周波数変換部１１５に入力されるRF信号の絶対値が、図１２Ｂに示されるように、基準レベルRef.LVL2より大きくなると、選択部２２２は、基準レベルRef.LVL2より小さな基準レベルRef.LVL2'を、基準レベルとして選択する。つまり、この場合、オーバロードディテクタ１６２は、RF信号を基準レベルRef.LVL2'と比較する。
【０１３５】
逆に、図１２Ｂの状態から図１２Ａの状態に遷移すると、選択部２２２は、再び、基準レベルRef.LVL2を、基準レベルとして選択する。
【０１３６】
このように、選択部２２２は、RF信号の大きさに対して遠い方の基準レベルを選択する。したがって、受信装置１００の場合と比較して、RF信号レベルが閾値近辺の場合、RF信号が基準レベルを超えて変動する可能性が低くなり、ループ可変ゲインの変更回数が低減される。したがって、受信装置２００は、AGCループの動作をより安定化させることが出来る。
【０１３７】
なお、選択部２２１も選択部２２２と同様に動作する。すなわち、例えば、周波数変換部１１５に入力されるRF信号の絶対値が、基準レベルRef.LVL1より大きな基準レベルRef.LVL1'より大きいとする。この場合、選択部２２１は、基準レベルRef.LVL1を、基準レベルとして選択する。つまり、この場合、オーバロードディテクタ１６１は、RF信号を基準レベルRef.LVL1と比較する。
【０１３８】
この状態から、周波数変換部１１５に入力されるRF信号の絶対値が、基準レベルRef.LVL1より小さくなると、選択部２２１は、基準レベルRef.LVL1より大きな基準レベルRef.LVL1'を、基準レベルとして選択する。つまり、この場合、オーバロードディテクタ１６１は、RF信号を基準レベルRef.LVL1'と比較する。
【０１３９】
さらに、この状態から、周波数変換部１１５に入力されるRF信号の絶対値が、基準レベルRef.LVL1'より大きくなると、選択部２２１は、再び、基準レベルRef.LVL1を、基準レベルとして選択する。
【０１４０】
このように、選択部２２１も、RF信号の大きさに対して遠い方の基準レベルを選択する。したがって、受信装置１００の場合と比較して、RF信号レベルが閾値近辺の場合、RF信号が基準レベルを超えて変動する可能性が低くなり、ループ可変ゲインの変更回数が低減される。したがって、受信装置２００は、AGCループの動作をより安定化させることが出来る。
【０１４１】
なお、以上においては、選択部２１１が、用意された複数のレベルの中から基準レベルを選択するように説明したが、規準レベルの制御方法は、これに限らない。例えば、選択部２１１が、周波数変換部１１５に入力されるRF信号の大きさに応じて、所定の演算により、基準レベルを算出するようにしてもよい。
【０１４２】
［３−２処理の流れ］
次に、受信装置２００により実行される各処理の流れの例を説明する。受信処理および増幅率制御処理は、受信装置１００の場合と同様に実行される。
【０１４３】
図１３のフローチャートを参照して、時定数制御処理の流れの例を説明する。
【０１４４】
時定数制御処理が開始されると、オーバロードディテクタ１５１は、ステップＳ２０１において、RF信号レベル測定処理を実行し、RF信号レベルを測定する。
【０１４５】
ステップＳ２０２において、ループゲイン制御部２１３は、ループゲイン制御処理を行い、ステップＳ２０１の処理により得られたRF信号レベルの測定結果に応じて、ループゲインを制御する。
【０１４６】
ステップＳ２０３において、選択部２１１は、ステップＳ２０１の処理により得られたRF信号レベルの測定結果に応じて、ステップＳ２０１のRF信号レベル測定処理において用いられる基準レベルを制御する。
【０１４７】
時定数制御処理は、AGCループによるAGC制御が行われる間、繰り返し実行されることになるが、オーバロードディテクタ１５１は、前回のステップＳ２０３の処理により得られた基準レベルを用いて、ステップＳ２０１の処理を行う。
【０１４８】
ステップＳ２０３の処理が終了すると、時定数制御処理が終了し、処理は、図７に戻る。
【０１４９】
次に、図１４のフローチャートを参照して、図１３のステップＳ２０３において実行される基準レベル制御処理の流れの例を説明する。
【０１５０】
基準レベル制御処理が開始されると、ステップＳ２２１において、選択部２２１は、第１の基準レベル（Ref.LVL1）より大きかったRF信号レベルが第１の基準レベル（Ref.LVL1）より小さくなったか否かを判定する。小さくなったと判定された場合、処理は、ステップＳ２２２に進む。
【０１５１】
ステップＳ２２２において、選択部２２１は、第１の基準レベルを大きくする（Ref.LVL1'）。ステップＳ２２２の処理が終了すると、処理は、図７に戻る。
【０１５２】
また、ステップＳ２２１において、RF信号レベルが第１の基準レベル（Ref.LVL1）以上のままであると判定された場合、処理は、ステップＳ２２３に進む。
【０１５３】
ステップＳ２２３において、選択部２２１は、第１の基準レベル（Ref.LVL1'）より小さかったRF信号レベルが第１の基準レベル（Ref.LVL1'）より大きくなったか否かを判定する。大きくなったと判定された場合、処理は、ステップＳ２２４に進む。
【０１５４】
ステップＳ２２４において、選択部２２１は、第１の基準レベルを小さくする（Ref.LVL1）。ステップＳ２２４の処理が終了すると、処理は、図７に戻る。
【０１５５】
また、ステップＳ２２３において、RF信号レベルが第１の基準レベル（Ref.LVL1'）以下のままであると判定された場合、処理は、ステップＳ２２５に進む。
【０１５６】
ステップＳ２２５において、選択部２２２は、第２の基準レベル（Ref.LVL2）より小さかったRF信号レベルが第２の基準レベル（Ref.LVL2'）より大きくなったか否かを判定する。大きくなったと判定された場合、処理は、ステップＳ２２６に進む。
【０１５７】
ステップＳ２２６において、選択部２２２は、第２の基準レベルを小さくする（Ref.LVL2'）。ステップＳ２２６の処理が終了すると、処理は、図７に戻る。
【０１５８】
また、ステップＳ２２５において、RF信号レベルが第２の基準レベル（Ref.LVL2）以下のままであると判定された場合、処理は、ステップＳ２２７に進む。
【０１５９】
ステップＳ２２７において、選択部２２２は、第２の基準レベル（Ref.LVL2'）より大きかったRF信号レベルが第２の基準レベル（Ref.LVL2'）より小さくなったか否かを判定する。小さくなったと判定された場合、処理は、ステップＳ２２８に進む。
【０１６０】
ステップＳ２２８において、選択部２２２は、第２の基準レベルを大きくする（Ref.LVL2）。ステップＳ２２８の処理が終了すると、処理は、図７に戻る。
【０１６１】
また、ステップＳ２２８において、RF信号レベルが第２の基準レベル（Ref.LVL2'）以上のままであると判定された場合、処理は、図７に戻る。
【０１６２】
以上のように各種処理を実行することにより、受信装置２００は、受信装置１００と同様に、信号レベル制御の振幅変動に対する追従性能を向上させることができる。また、受信装置２００は、受信装置１００よりも、AGCループの動作をより安定化させることが出来る。
【０１６３】
＜その他＞
なお、以上に説明した、受信装置１００および受信装置２００が行う通信は、無線通信に限らず有線通信であってもよい。つまり、受信装置１００および受信装置２００は、無線信号をアンテナ１１１において受信するのではなく、ケーブルを介して伝送されるAM変調信号を受信する。したがって、この場合、受信装置１００および受信装置２００は、アンテナ１１１の代わりに、例えば入力端子等の入力インタフェースを有する。この場合も、受信されたAM変調信号に対する処理は、上述した無線信号を受信する場合と同様に行われる。
【０１６４】
また、以上においては、AM変調信号を例に説明したが、受信装置１００および受信装置２００が受信する信号は、どのような信号であっても良い。例えば、この受信信号が、AM変調信号だけでなく、その他の変調方式の信号も含むようにしてもよい。また、この受信信号が、AM変調以外の変調方式で変調された信号であってもよい。ただし、本技術は、信号の振幅変動に対する追従性能を向上させることができるものであるので、例えば上述したAM変調信号のように、振幅が変動する変調方式の信号を受信する場合に適用するのがより効果的である。
【０１６５】
なお、受信装置１００および受信装置２００が受信する信号により伝送される情報は、任意であり、上述した映像信号に限定されない。例えば、AMラジオ放送波のように音声信号であってもよいし、データ通信において伝送されるデジタルデータであってもよい。
【０１６６】
上述した実施形態に係る受信装置１００および受信装置２００は、任意の電子機器に応用され得る。例えば、受信装置１００および受信装置２００は、放送局が放送するテレビジョン信号（放送波）を受信するチューナ、または、そのチューナを有する、放送番組の画像を表示するテレビジョン受像機（表示装置）やレコーダ（記録再生装置）等に適用することもできる。
【０１６７】
＜４．第４の実施の形態＞
［表示装置］
図１５は、以上のような受信装置（受信装置１００若しくは受信装置２００）を処理部として用いた表示装置の主な構成例を示すブロック図である。図１５に示される表示装置５００は、SECAM-LのようなAM変調の放送波（例えば、テレビジョン信号）を受信する受信装置であり、また、その受信した画像を表示する装置である。表示装置５００は、例えば、アンテナ５０１、チューナ５０２、デマルチプレクサ５０３、デコーダ５０４、映像信号処理部５０５、表示部５０６、音声信号処理部５０７、スピーカ５０８、外部インタフェース５０９、制御部５１０、ユーザインタフェース５１１、及びバス５１２を備える。
【０１６８】
チューナ５０２は、アンテナ５０１を介して受信される放送信号から所望のチャネルの信号を抽出し、抽出した信号を復調する。そして、チューナ５０２は、復調により得られた符号化ビットストリームをデマルチプレクサ５０３へ出力する。即ち、チューナ５０２は、画像が符号化されている符号化ストリームを受信する、表示装置５００における伝送部としての役割を有する。
【０１６９】
デマルチプレクサ５０３は、符号化ビットストリームから視聴対象の番組の映像ストリーム及び音声ストリームを分離し、分離した各ストリームをデコーダ５０４へ出力する。また、デマルチプレクサ５０３は、符号化ビットストリームからEPG（Electronic Program Guide）などの補助的なデータを抽出し、抽出したデータを制御部５１０に供給する。なお、デマルチプレクサ５０３は、符号化ビットストリームがスクランブルされている場合には、デスクランブルを行ってもよい。
【０１７０】
デコーダ５０４は、デマルチプレクサ５０３から入力される映像ストリーム及び音声ストリームを復号する。そして、デコーダ５０４は、復号処理により生成される映像データを映像信号処理部５０５へ出力する。また、デコーダ５０４は、復号処理により生成される音声データを音声信号処理部５０７へ出力する。
【０１７１】
映像信号処理部５０５は、デコーダ５０４から入力される映像データを再生し、表示部５０６に映像を表示させる。また、映像信号処理部５０５は、ネットワークを介して供給されるアプリケーション画面を表示部５０６に表示させてもよい。また、映像信号処理部５０５は、映像データについて、設定に応じて、例えばノイズ除去などの追加的な処理を行ってもよい。さらに、映像信号処理部５０５は、例えばメニュー、ボタン又はカーソルなどのGUI（Graphical User Interface）の画像を生成し、生成した画像を出力画像に重畳してもよい。
【０１７２】
表示部５０６は、映像信号処理部５０５から供給される駆動信号により駆動され、表示デバイス（例えば、液晶ディスプレイ、プラズマディスプレイ又はOELD（Organic ElectroLuminescence Display）（有機ELディスプレイ）など）の映像面上に映像又は画像を表示する。
【０１７３】
音声信号処理部５０７は、デコーダ５０４から入力される音声データについてD/A変換及び増幅などの再生処理を行い、スピーカ５０８から音声を出力させる。また、音声信号処理部５０７は、音声データについてノイズ除去などの追加的な処理を行ってもよい。
【０１７４】
外部インタフェース５０９は、表示装置５００と外部機器又はネットワークとを接続するためのインタフェースである。例えば、外部インタフェース５０９を介して受信される映像ストリーム又は音声ストリームが、デコーダ５０４により復号されてもよい。即ち、外部インタフェース５０９もまた、画像が符号化されている符号化ストリームを受信する、表示装置５００における伝送部としての役割を有する。
【０１７５】
制御部５１０は、CPUなどのプロセッサ、並びにRAM及びROMなどのメモリを有する。メモリは、CPUにより実行されるプログラム、プログラムデータ、EPGデータ、及びネットワークを介して取得されるデータなどを記憶する。メモリにより記憶されるプログラムは、例えば、表示装置５００の起動時にCPUにより読み込まれ、実行される。CPUは、プログラムを実行することにより、例えばユーザインタフェース５１１から入力される操作信号に応じて、表示装置５００の動作を制御する。
【０１７６】
ユーザインタフェース５１１は、制御部５１０と接続される。ユーザインタフェース５１１は、例えば、ユーザが表示装置５００を操作するためのボタン及びスイッチ、並びに遠隔制御信号の受信部などを有する。ユーザインタフェース５１１は、これら構成要素を介してユーザによる操作を検出して操作信号を生成し、生成した操作信号を制御部５１０へ出力する。
【０１７７】
バス５１２は、チューナ５０２、デマルチプレクサ５０３、デコーダ５０４、映像信号処理部５０５、音声信号処理部５０７、外部インタフェース５０９及び制御部５１０を相互に接続する。
【０１７８】
このように構成された表示装置５００のアンテナ５０１およびチューナ５０２に、上述した、受信装置１００若しくは受信装置２００が用いられる。したがって、表示装置５００は、信号レベル制御の振幅変動に対する追従性能を向上させることができる。
【０１７９】
＜５．第５の実施の形態＞
［コンピュータ］
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０１８０】
図１６は、上述した一連の処理をプログラムにより実行するコンピュータのハードウエアの構成例を示すブロック図である。
【０１８１】
図１６に示されるコンピュータ６００において、CPU（Central Processing Unit）６０１、ROM（Read Only Memory）６０２、RAM（Random Access Memory）６０３は、バス６０４を介して相互に接続されている。
【０１８２】
バス６０４にはまた、入出力インタフェース６１０も接続されている。入出力インタフェース６１０には、入力部６１１、出力部６１２、記憶部６１３、通信部６１４、およびドライブ６１５が接続されている。
【０１８３】
入力部６１１は、例えば、キーボード、マウス、マイクロホン、タッチパネル、入力端子などよりなる。出力部６１２は、例えば、ディスプレイ、スピーカ、出力端子などよりなる。記憶部６１３は、例えば、ハードディスク、RAMディスク、不揮発性のメモリなどよりなる。通信部６１４は、例えば、ネットワークインタフェースよりなる。ドライブ６１５は、磁気ディスク、光ディスク、光磁気ディスク、または半導体メモリなどのリムーバブルメディア６２１を駆動する。
【０１８４】
以上のように構成されるコンピュータでは、CPU６０１が、例えば、記憶部６１３に記憶されているプログラムを、入出力インタフェース６１０およびバス６０４を介して、RAM６０３にロードして実行することにより、上述した一連の処理が行われる。RAM６０３にはまた、CPU６０１が各種の処理を実行する上において必要なデータなども適宜記憶される。
【０１８５】
コンピュータ（CPU６０１）が実行するプログラムは、例えば、パッケージメディア等としてのリムーバブルメディア６２１に記録して適用することができる。また、プログラムは、ローカルエリアネットワーク、インターネット、デジタル衛星放送といった、有線または無線の伝送媒体を介して提供することができる。
【０１８６】
コンピュータでは、プログラムは、リムーバブルメディア６２１をドライブ６１５に装着することにより、入出力インタフェース６１０を介して、記憶部６１３にインストールすることができる。また、プログラムは、有線または無線の伝送媒体を介して、通信部６１４で受信し、記憶部６１３にインストールすることができる。その他、プログラムは、ROM６０２や記憶部６１３に、あらかじめインストールしておくことができる。
【０１８７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８８】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１８９】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１９０】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０１９１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１９２】
例えば、本技術は、１つの機能を、ネットワークを介して複数の装置で分担、共同して処理するクラウドコンピューティングの構成をとることができる。
【０１９３】
また、上述のフローチャートで説明した各ステップは、１つの装置で実行する他、複数の装置で分担して実行することができる。
【０１９４】
さらに、１つのステップに複数の処理が含まれる場合には、その１つのステップに含まれる複数の処理は、１つの装置で実行する他、複数の装置で分担して実行することができる。
【０１９５】
なお、本技術は以下のような構成も取ることができる。
（１）  受信信号の信号レベルを測定する測定部と、
前記測定部により測定された前記受信信号の信号レベルに応じて、前記受信信号の信号レベルを制御する制御ループの時定数を制御する制御部と
を備える通信装置。
（２）  前記受信信号は、振幅変調されている信号を含む
前記（１）に記載の通信装置。
（３）  前記測定部は、前記受信信号の信号レベルを所定の基準レベルと比較することにより、前記受信信号の信号レベルを測定する
前記（２）に記載の通信装置。
（４）  前記制御部は、前記測定部による、前記受信信号の信号レベルと前記基準レベルとの比較結果に基づいて、前記制御ループを構成する増幅部の増幅率を制御することにより、前記時定数を制御する
前記（３）に記載の通信装置。
（５）  前記制御部は、前記受信信号の信号レベルが前記基準レベルより小さくなった場合、前記増幅率を大きくする
前記（４）に記載の通信装置。
（６）  前記制御部は、前記受信信号の信号レベルが前記基準レベルより大きくなった場合、前記増幅率を大きくする
前記（４）または（５）に記載の通信装置。
（７）  前記測定部は、前記受信信号の信号レベルを互いに異なる複数の基準レベルと比較し、
前記制御部は、前記測定部による、前記受信信号の信号レベルと各基準レベルとの比較結果に基づいて、前記増幅部の増幅率を制御する
前記（２）乃至（６）のいずれかに記載の通信装置。
（８）  前記測定部は、前記受信信号の信号レベルを、第１の基準レベル、並びに、前記第１の基準レベルより大きな第２の基準レベルと比較し、
前記制御部は、前記受信信号の信号レベルが前記第１の基準レベルより小さくなった場合、若しくは、前記受信信号の信号レベルが前記第２の基準レベルより大きくなった場合、前記増幅率を大きくする
前記（７）に記載の通信装置。
（９）  前記制御部は、前記受信信号の信号レベルが前記第２の基準レベルより大きくなった場合、前記受信信号の信号レベルが前記第１の基準レベルより小さくなった場合よりも、前記増幅率を大きくする
前記（８）に記載の通信装置。
（１０）  前記測定部による比較結果に基づいて、前記基準レベルを制御する基準レベル制御部をさらに備え、
前記測定部は、前記受信信号の信号レベルを、前記基準レベル制御部により制御された前記基準レベルと比較する
前記（３）乃至（９）のいずれかに記載の通信装置。
（１１）  前記基準レベル制御部は、前記受信信号の信号レベルが前記基準レベルより小さくなった場合、前記基準レベルを大きくする
前記（１０）に記載の通信装置。
（１２）  前記基準レベル制御部は、前記受信信号の信号レベルが前記基準レベルより大きくなった場合、前記基準レベルを小さくする
前記（１０）または（１１）に記載の通信装置。
（１３）  前記測定部は、前記受信信号の信号レベルを、第１の基準レベル、並びに、前記第１の基準レベルより大きな第２の基準レベルと比較し、
前記基準レベル制御部は、
前記受信信号の信号レベルが前記第１の基準レベルより小さくなった場合、前記第１の基準レベルを大きくし、
前記受信信号の信号レベルが前記第２の基準レベルより大きくなった場合、前記第２の基準レベルを小さくする
前記（１０）乃至（１２）のいずれかに記載の通信装置。
（１４）  前記基準レベル制御部は、互いに異なる複数の基準レベルの候補の中から、いずれか１つを選択する
前記（１０）乃至（１３）のいずれかに記載の通信装置。
（１５）  通信装置の通信方法において、
前記通信装置が、
受信信号の信号レベルを測定し、
測定された前記受信信号の信号レベルに応じて、前記受信信号の信号レベルを制御する制御ループの時定数を制御する
通信方法。
【符号の説明】
【０１９６】
１００  受信装置，  １１３  ゲイン可変アンプ，  １１８  オーバロードディテクタ，  １１９  ループゲイン可変アンプ，  １２０  積分器，  １２１  選択部，  １５０  時定数制御部，  １５１  オーバロードディテクタ，  １５２  ループゲイン制御部，  １６１および１６２  オーバロードディテクタ，  １７１  コンパレータ，  １７２  ピークホールド部，  １８１  A/D変換部，  １８２  比較部，  ２００  受信装置，  ２０１  時定数制御部，  ２１１  選択部，  ２１３  ループゲイン制御部，  ２２１および２２２  選択部
【図１】
2013236325.tif 000003
【図２】
2013236325.tif 000004
【図３】
2013236325.tif 000005
【図４】
2013236325.tif 000006
【図５】
2013236325.tif 000007
【図６】
2013236325.tif 000008
【図７】
2013236325.tif 000009
【図８】
2013236325.tif 000010
【図９】
2013236325.tif 000011
【図１０】
2013236325.tif 000012
【図１１】
2013236325.tif 000013
【図１２】
2013236325.tif 000014
【図１３】
2013236325.tif 000015
【図１４】
2013236325.tif 000016
【図１５】
2013236325.tif 000017
【図１６】
2013236325.tif 000018